(57)【要約】【課題】カメラの装着位置を改善して使用者がＬＣＤ画面を注視する方向とカメラの撮影方向とを一致させることで、被写体の正確な撮影が可能で使用が便利なカメラが備えられた移動端末機を提供しようとする。【解決手段】本体２と、該本体２に回転可能に連結されてＬＣＤ画面６が形成されるホルダー４と、前記本体２の一方側に装着されて被写体を撮影するカメラモジュール１０と、を包含して構成されるカメラ付着型移動端末機であって、前記カメラモジュール１０は、使用者が前記ＬＣＤ画面６を注視する方向と前記カメラモジュール１０が撮影する方向とが同一平行線上に位置されるようにカメラ付着型移動端末機を構成する。【選択図】　図１
2004064728.tif 000002
【特許請求の範囲】
【請求項１】
本体と、該本体に回転可能に連結されてＬＣＤ画面が形成されるホルダーと、前記本体の一方側に装着されて被写体を撮影するカメラモジュールと、を包含して構成されるカメラ付着型移動端末機であって、
前記カメラモジュールは、使用者が前記ＬＣＤ画面を注視する方向と前記カメラモジュールが撮影する方向とが同一平行線上に位置されるように装着されることを特徴とするカメラ付着型移動端末機。
【請求項２】
前記カメラモジュールは、被写体の撮影方向が前記ホルダーが開けられた時、該ホルダーの後面から直角方向に向かうように前記本体の後面上方側に所定角度を有するように装着されることを特徴とする請求項１記載のカメラ付着型移動端末機。
【請求項３】
前記カメラモジュールは、被写体の撮影方向と前記本体の後面間が３０°の角度を有するように設置されることを特徴とする請求項２記載のカメラ付着型移動端末機。
【請求項４】
前記本体の後面上方側には、前記ホルダーが開けられた状態である時、前記ホルダーの後面と同様な水平面を有するように所定角度を有する突出部が形成されることを特徴とする請求項１記載のカメラ付着型移動端末機。
【請求項５】
前記突出部の前方面は、前記本体の後面と３０°の角度を有するように形成されることを特徴とする請求項４記載のカメラ付着型移動端末機。
【請求項６】
前記カメラモジュールは、撮影される方向が前記突出部の前方面と直角を成すように前記突出部に装着されることを特徴とする請求項４記載のカメラ付着型移動端末機。
【請求項７】
前記突出部の正面には、使用者が自身を撮影する時自身の姿を映す反射鏡が装着されることを特徴とする請求項２記載のカメラ付着型移動端末機。
【発明の詳細な説明】
【０００１】
【発明の属する技術分野】
本発明は、カメラが備えられた移動端末機に係るもので、詳しくは、使用者がＬＣＤ画面を注視する方向とカメラの撮影される方向とを一致させたカメラが備えられた移動端末機に関するものである。
【０００２】
【従来の技術】
現在、移動端末機は、単純な音声送受信機能以外にもマルチメディア機能が追加された移動端末機が開発されている趨勢であって、特に、映像情報を多様な色相でディスプレーするためのカラー液晶及び映像情報を入力するためのカメラが備えられた携帯用端末機が増加されている。
【０００３】
前記カメラが備えられた移動端末機は、大きくカメラが端末機に内蔵される内蔵型と別途のカメラが端末機に分離が可能に装着される外蔵型とに大きく区分される。
【０００４】
前記カメラ内蔵型移動端末機の場合、ホルダーに装着されるものと、端末機の本体に装着されるものと及びそれらホルダーと本体間のヒンジ連結部に装着される場合等に区分することができる。この時、前記カメラがホルダーに装着される場合、前記ホルダーに装着されるＬＣＤとの干渉が発生し、ホルダーの厚さの増大等による空間上の制約が発生し、前記カメラがヒンジ連結部に装着される場合、ヒンジ連結部及びＦＰＣとの干渉問題などが発生してヒンジ連結部を中心に回動されるため、長時間使用時に損傷が発生する恐れがある。このような問題点によって現在、本体にカメラが装着されるタイプが使用される。
【０００５】
従来のカメラ内蔵型移動端末機においては、図４及び図５に示したように、回路基板が内蔵され、前面に各種メニューボタン１０６が備えられてＰＣＢが内蔵される本体１０２と、該本体１０２に回動可能に連結され、前面に液晶画面１０８が形成されるホルダー１０４と、前記本体１０２とホルダー１０４とを回動可能に連結するヒンジ連結部１１０と、前記本体１０２の後面に装着され、被写体を撮影するカメラモジュール１１２と、を包含して構成されていた。
【０００６】
この時、前記本体１０２の下部には、音声信号を送信するマイク１１４が装着され、前記本体１０２の後面には、バッテリ１１６が装着される。前記カメラモジュール１１２は、被写体の撮影方向が前記本体１０２の後面から直角方向に向かうように前記本体１０２の後面に装着される。
【０００７】
即ち、前記端末機のホルダー１０４が開けられた時、該ホルダー１０４と前記本体１０２間の角度は約１５０°程度を維持するため、使用者が前記ホルダー１０４のＬＣＤ画面１０８を注視する方向Ａと前記カメラモジュール１１２の撮影方向Ｂ間は、約３０°の角度θ１を有するようになる。
【０００８】
【発明が解決しようとする課題】
然るに、このような従来カメラ内蔵型移動端末機においては、使用者がホルダーを開いてＬＣＤ画面を注視しながら撮影をする時、使用者がＬＣＤ画面を正面に注視する状態であると、前記カメラの撮影角度が下方向に３０°程度傾斜になるため、被写体の正確な撮影が難しくて使用が不便であるという不都合な点があった。
【０００９】
本発明は、このような従来の課題に鑑みてなされたもので、カメラの装着位置を改善して使用者がＬＣＤ画面を注視する方向とカメラの撮影方向とを一致させることで、被写体の正確な撮影が可能で使用が便利なカメラが備えられた移動端末機を提供することを目的とする。
【００１０】
【課題を解決するための手段】
このような目的を達成するため、本発明に係るカメラが備えられた移動端末機においては、本体２と、該本体２に回転可能に連結されてＬＣＤ画面６が形成されるホルダー４と、前記本体２の一方側に装着され、被写体を撮影するカメラモジュール１０と、を包含して構成され、該カメラモジュール１０は、使用者が前記ＬＣＤ画面６を注視する方向と前記カメラモジュール１０が撮影する方向とが同一平行線上に位置するように装着されることを特徴とする。
【００１１】
又、前記カメラモジュール１０は、被写体の撮影方向が前記ホルダー４が開けられた時、該ホルダー４の後面から直角方向に向かうように前記本体２の後面上方側に所定角度を有するように装着されることを特徴とする。
【００１２】
又、前記カメラモジュール１０は、被写体の撮影方向と前記本体２の後面間が３０°の角度を有するように設置されることを特徴とする。
【００１３】
又、前記移動端末機の本体２の後面上方側には、前記ホルダー４が開けられた状態である時、前記ホルダー４の後面と同様な水平面を有するように所定角度を有する突出部２０が形成されることを特徴とする。
【００１４】
又、前記移動端末機の前記突出部２０の前方面は、前記本体２の後面と３０°の角度を有するように形成されることを特徴とする。
【００１５】
又、前記カメラモジュール１０は、撮影される方向が前記突出部２０の前方面と直角を成すように前記突出部２０に装着されることを特徴とする。
【００１６】
又、前記移動端末機の前記突出部の正面には、使用者が自身を撮影する時に自身の姿を映す反射鏡２４が装着されることを特徴とする。
【００１７】
【発明の実施の形態】
以下、本発明の実施の形態に対し、図面を用いて説明する。
【００１８】
本発明に係るカメラ付着型移動端末機においては、図１及び図２に示したように、本体２と、該本体２に回転可能に連結されてＬＣＤ画面６が装着されるホルダー４と、前記本体２とホルダー４間を相互回転可能に連結するヒンジ連結部８と、前記本体２の一方側に装着されて被写体を撮影するカメラモジュール１０と、を包含して構成されている。
【００１９】
又、前記本体２は、メーンＰＣＢ（図示されず）が内蔵されて前面に各種メニューボタン１２が備えられ、その前面下方側に音声信号を送信するマイク１４が装着され、後面にはバッテリ１６が装着される。
【００２０】
又、前記ホルダー４は、その前面上方側に音声信号を受信するスピーカー１８が装着され、前記ホルダー４が開けられた状態である時、前記ホルダー４と前記本体２間の角度θ２は、約１５０°程度を維持する。
【００２１】
又、前記カメラモジュール１０は、使用者がＬＣＤ画面６を注視する方向Ｃと前記カメラモジュール１０が被写体を撮影する方向Ｄとが同一水平面上に位置するように前記本体２の後面上方側に装着される。
【００２２】
この時、前記カメラモジュール１０は、前記本体２に内蔵される内蔵型カメラモジュールを使用し得るし、前記本体２に分離可能に装着される外蔵型カメラモジュールを使用することができる。
【００２３】
又、前記本体２の後面上方側には、所定角度を有する突出部２０が形成され、該突出部２０の前面は、前記ホルダー４が開けられた時に前記ホルダー４の後面と同一平面上を位置される。
【００２４】
即ち、前記突出部２０の前面は、前記本体２の後面と約３０°の角度θ３を有するように前記本体２の後面上方側から所定幅だけ突出され、前記突出部２０の前面には、前記カメラモジュール１０及び反射鏡２４が装着される。
【００２５】
又、前記カメラモジュール１０は、その撮影方向が前記突出部２０の前面と直角方向を成すように前記突出部２０に形成される装着溝２６に装着される。又、前記反射鏡２４は、使用者が自身の姿を撮影しようとする時使用者の姿を映す役割をする。
【００２６】
上記のように構成される本発明に係るカメラ付着型移動端末機の動作に対し、説明する。
【００２７】
使用者が前記ホルダー４を開くと、該ホルダー４を垂直に立てた状態で該ホルダー４に装着されたＬＣＤ画面を注視しながら前記本体２に装着されるボタン１２を操作して写真撮影を実施する。
【００２８】
この時、前記カメラモジュール１０の被写体を撮影する方向と使用者が液晶画面を注視する方向とが平行線を成すため、使用者がＬＣＤ画面を通して被写体を正確に確認して撮影し得るし、撮影が一層便利になる。
【００２９】
【発明の効果】
以上説明したように、本発明に係るカメラ付着型移動端末機においては、カメラモジュールが前記本体の後方上方側に使用者が液晶画面を注視する方向と前記カメラの撮影方向とが平行線上に置かれるように設置され、使用者がＬＣＤ画面を注視しながら被写体を正確に確認して撮影し得るし、使用が一層便利になるという効果がある。
【図面の簡単な説明】
【図１】本発明に係るカメラが備えられた移動端末機のホルダーが開けられた状態を示した正面図である。
【図２】本発明に係るカメラが備えられた移動端末機のホルダーが開けられた状態を示した側面図である。
【図３】本発明に係るカメラが備えられた移動端末機のホルダーが閉められた状態を示した側面図である。
【図４】従来のカメラ内蔵型移動端末機のホルダーが開けられた状態を示した正面図である。
【図５】従来のカメラ内蔵型移動端末機のホルダーが開けられた状態を示した側面図である。
【符号の説明】
２　本体
４　ホルダー
６　ＬＣＤ画面（ＬＣＤ　ｄｉｓｐｌａｙ）
８　ヒンジ連結部
１０　カメラモジュール
１２　ボタン
１４　マイク
１６　バッテリ
１８　スピーカー
２０　突出部
【図１】
2004064728.tif 000003
【図２】
2004064728.tif 000004
【図３】
2004064728.tif 000005
【図４】
2004064728.tif 000006
【図５】
2004064728.tif 000007